(57)【要約】      （修正有）【課題】  移動がスムーズで、快速昇降の機能をもつと共に、シャッター板の結合強度が増し、盗難防止機能、雨水進入防止機能が向上された電動シャッターの提供。【解決手段】  レールフレーム、マシンボックス、伝動機構、シャッター板案内装置、複数のシャッター板を具え、シャッター板案内装置が上案内サポートフレームと下案内サポートフレームを具え、両者が共同でシャッターの収容空間を区画形成し、伝動機構が案内輪を具え、同期してシャッター板の昇降を制御する連結條を駆動し、案内輪の側壁に案内凸体が設けられて案内長溝に嵌め込まれ、別端の案内板にあってシャッター板に対応する端部に挟持体開口状の案内口が設けられ、またシャッター板の相対端に対応する結合シートが設けられてストッパ板とカバー板が組み合わされる。【選択図】  図１
0003100711.tif 000002
【実用新案登録請求の範囲】
【請求項１】
レールフレーム、マシンボックス、伝動機構、シャッター板案内装置、複数のシャッター板を具え、
該レールフレームは、開口が対向し直立状態で設置された二つのレールを具え、
該マシンボックスは、レールフレームの上端に設けられ、内部に動力装置が設置され、  該伝動機構は、レールフレームの両側に設けられ、動力装置の駆動を受ける主動輪、該主動輪に組み合わされた主連結條、主連結條により主動輪に連結された従動輪、該従動輪に組み合わされた副連結條、該副連結條により従動輪に連結され駆動される被駆動輪を具え、
シャッター板案内装置は、上案内サポートフレームと下案内サポートフレームを具え、両者が共同で後述のシャッター板の排出収容空間を区画形成し、該上案内サポートフレームは副連結條の対応側の上側に設けられ、下案内サポートフレームは被駆動輪の対応側の下方に設けられ、該被駆動輪は副連結條に組み合わされると共に、同軸伝動の案内輪が設けられ、該案内輪が同期にシャッター板の昇降を駆動、制御する連結條を駆動し、該案内輪の側壁に案内凸体が設けられ、該案内凸塊に対応する位置に原地で軸移動する案内板が設けられ、該案内板が案内長溝を具え、該案内長溝に案内輪側壁の案内凸体が嵌め込まれ、案内板のシャッター板に対応する端部に挟持開口状の案内口が設けられ、
該複数のシャッター板は、レールフレームのレール内に設けられ、各シャッター板の両端に上ローラと下ローラが設けられ、上ローラと下ローラの間に連結手段が設けられ、該連結手段により連結條が接続され、シャッター板が連結條に駆動され、
以上の設置により、シャッター板が上昇させられる時、被駆動輪の同軸回転する案内輪が正転して同期に連結條を駆動し上昇させ、これによりシャッター板が連結條の上昇により引き動かされ、レールフレームのレールに沿って上昇し、シャッター板の上昇過程で、その上端の上ローラがシャッター板案内装置の上案内サポートフレームに接触し、下ローラが案内板の案内口の案内を受け、このとき、案内輪が続いて連結條を駆動し上昇させると共に、案内板を駆動し回転させ、案内板の回転の過程で、シャッター板が平穏順調にその対応端の下案内サポートフレームに導入され、シャッター板が下ろされる時、被駆動輪が制御されて同軸回転する案内輪を逆方向に回転させ、これにより連結條が駆動されて下降し、案内板の案内口のシャッター板に対する案内により、シャッター板の下降が快速に、且つ平穏に順調に行なわれることを特徴とする、電動シャッター。
【考案の詳細な説明】
【技術分野】
【０００１】
本考案は一種の電動シャッターに係り、特に、シャッター板快速昇降の順調性を具備し、シャッター板の結合強度が増され、盗難防止、雨水進入防止の機能を具備する電動シャッターに関する。
【背景技術】
【０００２】
伝統的な電動シャッターのほとんどは巻き取り式とされ、このような巻き取り式の電動シャッターは昇降動作が遅いという欠点を有している。帰宅時に電動シャッターを降ろす時に、動作速度が緩慢であるために、暴徒が進入しやすくなり、安全性が足らず、ゆえに改善が求められている。
【考案の開示】
【考案が解決しようとする課題】
【０００３】
本考案はシャッター板の移動時の順調性を増した電動シャッターを提供することを課題とし、それは快速昇降の機能を具備すると共に、シャッター板の結合強度が増され、盗難防止機能、雨水進入防止機能が向上された電動シャッターであるものとする。
【課題を解決するための手段】
【０００４】
請求項１の考案は、レールフレーム、マシンボックス、伝動機構、シャッター板案内装置、複数のシャッター板を具え、
該レールフレームは、開口が対向し直立状態で設置された二つのレールを具え、
該マシンボックスは、レールフレームの上端に設けられ、内部に動力装置が設置され、  該伝動機構は、レールフレームの両側に設けられ、動力装置の駆動を受ける主動輪、該主動輪に組み合わされた主連結條、主連結條により主動輪に連結された従動輪、該従動輪に組み合わされた副連結條、該副連結條により従動輪に連結され駆動される被駆動輪を具え、
シャッター板案内装置は、上案内サポートフレームと下案内サポートフレームを具え、両者が共同で後述のシャッター板の排出収容空間を区画形成し、該上案内サポートフレームは副連結條の対応側の上側に設けられ、下案内サポートフレームは被駆動輪の対応側の下方に設けられ、該被駆動輪は副連結條に組み合わされると共に、同軸伝動の案内輪が設けられ、該案内輪が同期にシャッター板の昇降を駆動、制御する連結條を駆動し、該案内輪の側壁に案内凸体が設けられ、該案内凸塊に対応する位置に原地で軸移動する案内板が設けられ、該案内板が案内長溝を具え、該案内長溝に案内輪側壁の案内凸体が嵌め込まれ、案内板のシャッター板に対応する端部に挟持開口状の案内口が設けられ、
該複数のシャッター板は、レールフレームのレール内に設けられ、各シャッター板の両端に上ローラと下ローラが設けられ、上ローラと下ローラの間に連結手段が設けられ、該連結手段により連結條が接続され、シャッター板が連結條に駆動され、
以上の設置により、シャッター板が上昇させられる時、被駆動輪の同軸回転する案内輪が正転して同期に連結條を駆動し上昇させ、これによりシャッター板が連結條の上昇により引き動かされ、レールフレームのレールに沿って上昇し、シャッター板の上昇過程で、その上端の上ローラがシャッター板案内装置の上案内サポートフレームに接触し、下ローラが案内板の案内口の案内を受け、このとき、案内輪が続いて連結條を駆動し上昇させると共に、案内板を駆動し回転させ、案内板の回転の過程で、シャッター板が平穏順調にその対応端の下案内サポートフレームに導入され、シャッター板が下ろされる時、被駆動輪が制御されて同軸回転する案内輪を逆方向に回転させ、これにより連結條が駆動されて下降し、案内板の案内口のシャッター板に対する案内により、シャッター板の下降が快速に、且つ平穏に順調に行なわれることを特徴とする、電動シャッターとしている。
【考案の効果】
【０００５】
本考案の電動シャッターは、シャッター板快速昇降の順調性を具備し、盗難防止、雨水進入防止の機能を具備する。
【考案を実施するための最良の形態】
【０００６】
本考案の電動シャッターは、レールフレーム、マシンボックス、伝動機構、シャッター板案内装置、複数のシャッター板を具え、該シャッター板案内装置が上案内サポートフレームと下案内サポートフレームを具え、両者が共同でシャッターの収容空間を区画形成し、該伝動機構が案内輪を具え、同期してシャッター板の昇降を制御する連結條を駆動し、案内輪の側壁に案内凸体が設けられて原地で軸で移動する案内板に設けられた案内長溝に嵌め込まれ、別端の案内板にあってシャッター板に対応する端部に挟持体開口状の案内口が設けられ、またシャッター板の相対端に対応する結合シートが設けられてストッパ板とカバー板が組み合わされ、これによりシャッター板快速昇降の順調性を具備し、盗難防止、雨水進入防止の機能を具備する。
【実施例１】
【０００７】
図１に示されるように、本考案の電動シャッターは、レールフレーム５、マシンボックス６、伝動機構７、シャッター板案内装置８、複数のシャッター板９を具えている。
【０００８】
該レールフレーム５は、開口が対向し直立状態で設置された二つのレール５０（図２参照）を具えている。
【０００９】
該マシンボックス６は、レールフレーム５の上端に設けられ、内部に動力装置（例えばモータ）が設置されている。
【００１０】
伝動機構７は、レールフレーム５の両側に設けられ、動力装置の駆動を受ける主動輪７１、該主動輪７１に組み合わされた主連結條７２、主連結條７２により主動輪７１に連結された従動輪７３、該従動輪７３に組み合わされた副連結條７４、該副連結條７４により従動輪７３に駆動される被駆動輪７５を具えている。
【００１１】
シャッター板案内装置８は、上案内サポートフレーム８０と下案内サポートフレーム８１を具え、両者が共同で後述のシャッター板９の排出収容空間を区画形成する。そのうち、上案内サポートフレーム８０は副連結條７４の対応側の上側に設けられ、下案内サポートフレーム８１は被駆動輪７５の対応側の下方に設けられ、該被駆動輪７５は副連結條７４に組み合わされているほか、同軸伝動の案内輪７６が設けられ、該案内輪７６が同期にシャッター板９の昇降を駆動、制御する連結條７７を駆動し、該案内輪７６の側壁に案内凸体７６０が設けられ、該案内凸塊７６０に対応する位置に原地で軸移動する案内板７８が設けられ、該案内板７８が案内長溝７８０を具え、該案内長溝７８０に案内輪７６側壁の案内凸体７６０が嵌め込まれている。別に、案内板７８のシャッター板９に対応する端部に挟持開口状の案内口７８１が設けられている。
【００１２】
複数のシャッター板９は、レールフレーム５のレール５０内に設けられ（図２参照）、各シャッター板９の両端に上ローラ９１と下ローラ９２が設けられ、上ローラ９１と下ローラ９２の間に連結手段９３が設けられ、該連結手段９３により連結條７７が接続され、シャッター板９が連結條７７に駆動される（図３参照）。
【００１３】
以上の設置により、動力装置（例えばモータ）が伝動機構７を駆動してシャッター板９を上昇させる時（即ち開門、図４も参照されたい）、被駆動輪７５の同軸回転する案内輪７６が正転して同期に連結條７７を駆動し上昇させ、これによりシャッター板９が連結條７７の上昇により引き動かされ、レールフレーム５のレール５０に沿って上昇し、シャッター板９の上昇過程で、その上端の上ローラ９１がシャッター板案内装置８の上案内サポートフレーム８０に接触し、下ローラ９２がちょうど案内板７８の案内口７８１の案内を受ける。このとき、案内輪７６が続いて連結條７７を駆動し上昇させると共に、案内板７８を駆動し回転させ、案内板７８の回転の過程で、シャッター板９が平穏順調にその対応端の下案内サポートフレーム８１に導入される（図５、６参照）。
【００１４】
逆に、シャッター板９を下ろしたい時は（即ち閉門、図７から図１０を参照されたい）、被駆動輪７５が制御されて同軸回転する案内輪７６を逆方向に回転させ、これにより連結條７７が駆動されて下降し、案内板７８の案内口７８１のシャッター板９に対する案内により、シャッター板９の下降が快速に、且つ平穏に順調に行なわれる。
【００１５】
前述のシャッター板案内装置８の上案内サポートフレーム８０と下案内サポートフレーム８１は、相互間の相対角度がシャッター板９の端部に対して適当な傾斜角度を呈するものとされ、これによりシャッター板９両端の上ローラ９１、下ローラ９２がシャッター開閉時に自然に転がる順調性を具備する。
【００１６】
このほか、本考案のシャッター板は結合強度と盗難防止、雨水進入防止の優れた機能設計を有し、その実施方式については図１１から図１４に示されるとおりであり、本考案は各シャッター板９の対向端にそれぞれ対応する結合シート９４が設けられ、各結合シート９４の座体にシャッター板９の結合シート９４を被覆するストッパ板９５が設けられ、且つ対向端の二つの結合シート９４の間にもう一つの対向端の結合シート９４の座体を嵌め置くことができる溝座９６が設けられ、該溝座９６の上端にカバー板９７が設けられて対向端のストッパ板９５が緊密に結合される。この設計により、良好な結合強度を具備し、並びに盗難防止、雨水進入防止の優れた機能を達成する。
【００１７】
以上の説明から分かるように、本考案は確実に予期された機能と長所を達成し、特にシャッター板を快速に降ろすことができる使用機能を有し、住居の人身の安全を保証し、顕著な進歩性を具備し、実用新案登録の要件を具備している。なお、以上の実施例は本考案の実施範囲を限定するものではなく、本考案に基づきなしうる細部の修飾或いは改変は、いずれも本考案の請求範囲に属するものとする。
【図面の簡単な説明】
【００１８】
【図１】本考案の実施例の電動シャッターの構造表示図である。
【図２】本考案の実施例の電動シャッターの上昇動作表示図である。
【図３】本考案の実施例の電動シャッターと連結條の結合表示図である。
【図４】本考案の実施例の電動シャッターの上昇動作表示図である。
【図５】本考案の実施例の電動シャッターの上昇動作表示図である。
【図６】本考案の実施例の電動シャッターの上昇動作表示図である。
【図７】本考案の実施例の電動シャッターの下降動作表示図である。
【図８】本考案の実施例の電動シャッターの下降動作表示図である。
【図９】本考案の実施例の電動シャッターの下降動作表示図である。
【図１０】本考案の実施例の電動シャッターの下降動作表示図である。
【図１１】本考案の実施例のシャッター板未接合時の局部断面図である。
【図１２】本考案の実施例のシャッター板未接合時の拡大断面図である。
【図１３】本考案の実施例のシャッター板接合時の局部断面図である。
【図１４】本考案の実施例のシャッター板接合時の拡大断面図である。
【符号の説明】
【００１９】
５  レールフレーム          ６  マシンボックス      ７  伝動機構
８  案内装置                ９  シャッター板        ５０  レール
６０  動力装置              ７１  主動輪            ７２  主連結條
７３  従動輪                ７４  副連結條          ７５  被駆動輪
７６  案内輪                ７７  連結條            ７８  案内板
７６０  案内凸体            ７８０  案内長溝        ７８１  案内口
９１  上ローラ              ９２  下ローラ          ９３  連結手段
９４  結合シート            ９５  ストッパ板        ９６  溝座
９７  カバー板
【図１】
0003100711.tif 000003
【図２】
0003100711.tif 000004
【図３】
0003100711.tif 000005
【図４】
0003100711.tif 000006
【図５】
0003100711.tif 000007
【図６】
0003100711.tif 000008
【図７】
0003100711.tif 000009
【図８】
0003100711.tif 000010
【図９】
0003100711.tif 000011
【図１０】
0003100711.tif 000012
【図１１】
0003100711.tif 000013
【図１２】
0003100711.tif 000014
【図１３】
0003100711.tif 000015
【図１４】
0003100711.tif 000016